(57)【要約】【課題】厚紙などの折曲成形により形成されるクラッカーの容器において、容器開口部を簡単に蓋閉めする事を課題とする。【解決手段】引紐４を引くことにより容器１１内に仕掛けられた火薬を爆発させ、この爆発圧力で容器を開放するようにされたクラッカー１０において、容器１１本体の側壁部１３を開口側へ延長する帯域部１５が容器側壁部１３の開口縁から、容器１１周方向に沿って分割することなく延長成形され、帯域部１５の側壁部１３との境界線１４が山折線とされ、境界線１４を複数に等分してなる一辺を底辺として帯域部１５の対辺に頂点を置く三角形状の輪郭に沿った線１８が山折線とされ、互いに隣接する三角形状の斜辺のなす角度を二つに分ける線１９が谷折線とされ、線１４、１８と線１９との山折谷折の折曲組合せによって帯域部１５が容器１１内側へと折り畳まれて蓋閉めされてなる。【選択図】図５
2004011944.tif 000002
【特許請求の範囲】
【請求項１】
引紐を引くことにより容器内に仕掛けられた火薬を爆発させ、この爆発圧力で前記容器の閉じられた開口を開放するようにされたクラッカーにおいて、前記容器本体の側壁部を開口側へ延長する帯域部が前記容器側壁部の開口縁から、前記容器周方向に沿って分割することなく延長成形され、該帯域部の前記側壁との境界線が山折線とされ、該境界線を複数に等分してなる一辺を底辺とし、各底辺に対し前記帯域部の対辺に頂点を置く三角形状の輪郭に沿った線が山折線とされ、互いに隣接する三角形状の斜辺のなす角度を二つに分ける線が谷折線とされ、前記山折線と谷折線との折曲組合せによって前記帯域部が容器内側へと折り畳まれて蓋閉めされていることを特徴とするクラッカー。
【請求項２】
請求項１における帯域部に形成された三角形状をなす一対の山折線が、互いに近づく方向へ湾曲する滑らかな湾曲線に沿って設けられているクラッカー。
【請求項３】
請求項１又は２における帯域部に形成された三角形状の頂点と、互いに隣接する前記三角形状の斜辺同士のなす角を分割する線が対辺と交わる点との間の帯域部の輪郭が膨出する湾曲輪郭とされているクラッカー。
【請求項４】
請求項１、２又は３におけるクラッカーの容器の形状が直方体とされてなるクラッカー。
【請求項５】
請求項１、２又は３におけるクラッカーの容器の形状が錐体とされてなるクラッカー。
【発明の詳細な説明】
【０００１】
【発明の属する技術分野】
この発明は、引紐の引張操作で爆発音をたて、あるいは同時に煙、リボンや紙ふぶきなどを放散するクラッカーに関する。
【０００２】
【従来の技術】
従来、図１２に示すように主に円錐あるいは角錐とされた錐状容器１の開口端２を閉じ、内部に火薬を内蔵した爆発筒３を設け、爆発筒３から引出した引紐４を引っ張れば爆発筒３内に収納された火薬が発火爆発し、その爆発圧で開口端２が開放され、爆発音と共に煙、リボンや紙ふぶき５などが放散されるクラッカー６が広く知られている。
【０００３】
【発明が解決しようとする課題】
ところで、上記クラッカー６の開口端２の蓋閉構造は、図１３に示すように容器１の開口縁に舌片７…７を延設し、折線８…８で折曲可能とすると共に、この舌片７…７を順次追うように折り曲げ、先端部の係合部９…９を噛合わせつつ折り畳むことによって蓋閉めするものが知られている。
【０００４】
しかしながら、このような構造のクラッカー６を組み立てる際、舌片７…の折曲げ、噛合せ作業に複雑な操作を必要とし、手作業とならざるを得ず生産効率が悪いといった問題があった。
【０００５】
この発明は、上記問題を解消するためクラッカーの容器開口部を簡単に蓋閉めする事を課題としてなされたものである。
【０００６】
【課題を解決するための手段】
上記課題を解決するため、請求項１のクラッカーは、引紐を引くことにより容器内に仕掛けられた火薬を爆発させ、この爆発圧力で前記容器の閉じられた開口を開放するようにされたクラッカーにおいて、前記容器本体の側壁部を開口側へ延長する帯域部が前記容器側壁部の開口縁から、前記容器周方向に沿って分割することなく延長成形され、該帯域部の前記側壁との境界線が山折線とされ、該境界線を複数に等分してなる一辺を底辺とし、各底辺に対し前記帯域部の対辺に頂点を置く三角形状の輪郭に沿った線が山折線とされ、互いに隣接する三角形状の斜辺のなす角度を二つに分ける線が谷折線とされ、前記山折線と谷折線との折曲組合せによって前記帯域部が容器内側へと折り畳まれて蓋閉めされていることを特徴とするものである。
【０００７】
ここに山折線とは、折線の両側紙片を背面側へ折り曲げる場合の折線を言うものとし、谷折線とは、折線の両側紙片を表面側へ折り曲げる場合の折線を言うものとする。
【０００８】
従って、この発明によれば、開口縁に延長形成された帯域部の開口縁に沿う山折線、二等辺三角形状に設けられた山折線、並びにその間の谷折線をそれぞれ折曲げる作業だけで開口部は蓋閉めできるので、作業が容易となり、組立工程の機械化も可能となり、製造の迅速化が図れるのである。
【０００９】
請求項２の発明は、請求項１における帯域部に形成された三角形状をなす一対の山折線が、互いに近づく方向へ湾曲する滑らかな湾曲線に沿って設けられているものである。
【００１０】
このように湾曲した折線とすれば、折り畳む際、折り畳まれる用紙の動作がクリック的になり、折畳時、あるいは開放時の折線に沿った蓋体の動きが素早くなり、ワンタッチ的に蓋閉め作業ができ、開放時の動作も一斉に開放される。
【００１１】
請求項３の発明は、請求項１又は２における帯域部に形成された三角形状の頂点と、互いに隣接する前記三角形状の斜辺同士のなす角を分割する線が対辺と交わる点との間の帯域部の輪郭が膨出する湾曲輪郭とされているものである。
【００１２】
折り畳んだ際に現れる帯域部の湾曲端縁が、容器開口縁に沿った折線で折り曲げたときに該折線を折り畳み線を回転中心軸とした湾曲面となるので、蓋体の最後の折りこみ動作がスムーズに行える。
【００１３】
請求項４の発明は、請求項１、２又は３におけるクラッカーの容器の形状が直方体とされてなるものであり、請求項５の発明は、請求項１、２又は３におけるクラッカーの容器の形状が錐体とされてなるものである。
【００１４】
任意形状の容器であっても適用可能である。
【００１５】
【実施の形態】
実施の形態１
次に、この発明の実施の形態を説明する。
図１はこの発明の実施の形態１であるクラッカーの開口部の折り畳み前の斜視図、図２は同じく折り畳み後の斜視図、図３は展開図である。
【００１６】
実施形態１のクラッカー１０は、容器１１が直方形状の箱状とされたもので、この容器の蓋１２が、容器側壁１３…１３の開口縁から開口側へ、一体的に延長成形した帯域部１５の折り畳みによって形成されている。
【００１７】
この帯域部１５の折り畳みは、図１、図２に示すように側壁１３の開口縁に沿った線１４が山折線とされ、側壁１３の幅Ｂを底辺として、図３に示すように、この帯域部１５の対辺１６に頂点を置く三角形状の輪郭に沿った、図示例は湾曲線とされているが、線１８が山折線とされ、互いに隣接する三角形の斜辺１８、１８のなす角を二つに分ける分割線（図示例は２等分線）１９が谷折線とされ、図１、図２に示すように線１４、１８と線１９との山折、谷折の折曲組合せによって容器１１の開口に設けた帯域部１５が内側へと折り畳まれて蓋閉めされている。
【００１８】
上記実施の形態１において、帯域部１５に設けられる三角形状の山折線１８、１８を図示したように互いに近づく方向に湾曲する滑らかな湾曲山折線１８、１８とした場合は、帯域部１５を折り曲げる際、折り曲げにクリック的な動作を行うので、どれか一辺を折りこむと、それと共に他の辺も自動的にクリック的に折畳まれ、ワンタッチ的に折り畳みが出来て、組み立てが非常に迅速かつ容易になる。
【００１９】
また、帯域部１５の三角形状の頂点２３と、隣接する三角形状の斜辺１８、１８のなす角を分割する線１９が各底辺に対応する対辺１６と交わる点２４との間の輪郭を、膨出する湾曲輪郭とすれば、図４の断面図より明かなように、帯域部１５を折り畳む際、輪郭が図示のように折り畳み時の回転軸となる開口縁に沿った線１４を中心とした湾曲面となるので相互の干渉が防止できて成形及び爆発時の開口がより円滑に行われる。
【００２０】
なお、容器１１の内部には、図４に示すように爆発筒３が底部に設けられ、引紐４が引き出されている。そして、爆発筒３上部には、中仕切２０を隔ててリボンや紙ふぶき５などが収納されている。なお、中仕切２０は、爆発筒３が爆発したときリボンや紙ふぶき５が吹き飛ばされるよう容器１１内に脚部材２２を支えとして単に載置されているだけで固定はされていない。
【００２１】
そして、引紐４を引き、爆発筒３を爆発させると図５に矢印Ｐで示すように、爆発圧によって、中仕切りが開口方向へ吹き飛ばされると同時に、開口部を閉じていた帯域部１５が爆発圧によって開き、リボンや紙ふぶき５が矢印Ｑで示すように放散されるのである。
【００２２】
なお、このとき線１８を湾曲した線としておけば、折曲片の動作がクリック的となるので折り曲げ易く、また、爆発時には一定以上の爆発力となったときにクリック的に蓋部分が開くので、爆発圧も高くすることができ、リボン、紙ふぶき５も遠くへ飛ばすことができる。
【００２３】
従って、このクラッカー１０によれば、厚紙などの平板材料を展開状体に切り抜き、同時に山折線、谷折線をプレスなどにより成形すれば、以後は殆どワンタッチ作業で容器１１の開口を閉じることができ、蓋閉作業が非常に迅速且つ容易に行えるのである。
【００２４】
実施の形態２
図６はこの発明の実施の形態２であるクラッカーの開口部の折り畳み前の斜視図、図７は同じく折り畳み後の斜視図、図８は展開図である。
【００２５】
実施形態２のクラッカー１０は、容器１１が角錐形状とされたもので、この容器の蓋部分１２が、容器側壁１３…１３の開口縁１４から開口側へ一体的に延長成形した帯域部１５の折り畳みによって形成されるようにされている。
【００２６】
なお、この実施の形態２におけるクラッカー１０は、容器の形状が角錐状とされている点が実施の形態１のクラッカー１０と異なるだけで他は同一であるので、同一部分に付いては同一符号を付して詳細な説明は省略する。
【００２７】
この実施の形態２における帯域部１５の折り畳みは、側壁１３の開口縁に沿った線１４が、側壁１３の数に合わせて６分割とされ、この分割された一辺を底辺として、図８に示すように、帯域部１５の対辺１６に頂点を置く三角形状の輪郭に沿った線１８が山折線とされ、互いに隣接する三角形の斜辺１８、１８のなす角度の分割線（図示例は２等分線）１９が谷折線とされ、図６、図７に示すように線１４、１８と線１９との山折、谷折の折曲組合せによって容器１１の開口に設けた帯域部１５が内側へと折り畳まれて蓋閉めされている。
【００２８】
なお、容器１１の内部には、実施の形態１と同様、図９に示すように引紐４が引き出された爆発筒３が底部に設けられ、中仕切２０を隔ててリボンや紙ふぶき５などが収納されている。なお、中仕切２０は、実施の形態１と同様、爆発筒３が爆発したときリボンや紙ふぶき５が吹き飛ばされるよう容器１１内に単に載置されているだけで固定はされていない。
【００２９】
そして、引紐４を引き、爆発筒３を爆発させると図１０に示すように、爆発圧によって開き、リボンや紙ふぶきを放散するのである。
従って、このクラッカー１０によれば、厚紙などの平板材料を展開状体に切り抜き、同時に山折線、谷折線をプレスなどにより成形すれば、以後は殆どワンタッチ作業で容器１１の開口を閉じることができ、蓋閉作業が非常に迅速且つ容易に行えるのである。
【００３０】
上記実施の形態２として、容器の形状を角錐状としたが、図１１に示すように円錐形状とすることもできる。
この場合は、容器１１の開口縁が円形となるので、開口縁に沿った山折線１４も湾曲した山折線となる。このため帯域部１５の容器開口側への折り畳みがクリック的となり、爆発時、開放が一定以上の圧力となったときにクリック的に急激に開くので、放散圧力が高くなり、遠くまでテープや紙ふぶき５を放散させることができる。
【００３１】
上記実施の形態２において、帯域部１５に設けられる三角形状の山折線１８、１８を実施の形態１と同様、図示したように互いに近づく方向に湾曲する滑らかな湾曲山折線１８、１８とした場合は、帯域部１５を折り曲げる際、クリック的な動作を行うので、組み立て易くなり、また爆発時の放散圧力も高くすることができる。
【００３２】
また、図８に示したように、帯域部１５の三角形状の頂点２３と、斜辺１８のなす角を分割する線１９との交点２４との間の対辺１６の輪郭を、膨出する湾曲輪郭とすれば、図９の断面図より明かなように、帯域部１５を折り畳む際に相互の干渉が防止できて成形及び爆発時の開口がより円滑に行える。
【００３３】
【発明の効果】
この発明は、以上説明したように、クラッカーの容器を組み立てる場合、蓋閉部分も、折線に沿って蛇腹状に折り畳んでいけば良いので、蓋閉作業も単なる折り畳み作業だけで済み、そのため機械的な処理も可能であり、製造が非常に容易となり、クラッカーをそれだけ安価に提供可能となる。
【００３４】
また、蓋部を折畳む際の折線を湾曲線とすると、折り曲げ動作がクリック的な動作となり、どれか一部を折り畳めば、それと共に他の部分も同時にクリック的に折り畳まれてしまうので、蓋部分の組み立てがワンタッチ的に行え、製造が迅速かつ非常に容易になるのである。
【図面の簡単な説明】
【図１】この発明の実施の形態１であるクラッカーの開口部の折り畳み前の斜視図である。
【図２】同じく折り畳み後の斜視図である。
【図３】同じく展開図である。
【図４】この発明の実施の形態１であるクラッカーの断面図である。
【図５】この発明の実施の形態１であるクラッカーの爆発時の説明断面図である。
【図６】この発明の実施の形態２であるクラッカーの開口部の折り畳み前の斜視図である。
【図７】同じく折り畳み後の斜視図である。
【図８】同じく展開図である。
【図９】この発明の実施の形態２であるクラッカーの断面図である。
【図１０】この発明の実施の形態２であるクラッカーの爆発時の説明断面図である。
【図１１】この発明の実施の形態２であるクラッカーの他の構成例の斜視図である。
【図１２】従来例の断面図である。
【図１３】従来例の蓋部の要部斜視図である。
【符号の説明】
３　　　爆発筒
４　　　引紐
５　　　リボンや紙ふぶき
１０　　　クラッカー
１１　　　容器
１２　　　容器の蓋
１３　　　容器側壁
１４　　　開口縁に沿った線
１５　　　帯域部
１６　　　帯域部の対辺
１８　　　三角形状の輪郭に沿った線
１９　　　斜辺のなす角を二つに分ける分割線
２３　　　三角形状の頂点
【図１】
2004011944.tif 000003
【図２】
2004011944.tif 000004
【図３】
2004011944.tif 000005
【図４】
2004011944.tif 000006
【図５】
2004011944.tif 000007
【図６】
2004011944.tif 000008
【図７】
2004011944.tif 000009
【図８】
2004011944.tif 000010
【図９】
2004011944.tif 000011
【図１０】
2004011944.tif 000012
【図１１】
2004011944.tif 000013
【図１２】
2004011944.tif 000014
【図１３】
2004011944.tif 000015